(57)【特許請求の範囲】
【請求項１】
周期的に直流電位成分のレベルが変化して発生する時間経過に伴う直流電位差を持ち、ＡＣ成分が重畳された信号を入力し、この入力信号に対して、その直流電位成分のレベルに対応して２つのコンデンサのいずれか一方のみが充放電するように、前記直流電位成分のレベル変化による直流電位の切り替わりに同期した第１の制御信号により、前記２つのコンデンサを切り替える手段と、前記入力信号の直流電位の切り替わりに同期した第２の制御信号によって、前記入力信号に対する通過時定数を小さくなるように切り替える手段とを備え、前記２つのコンデンサを、前記入力信号における直流電位成分のレベルとして、周期的な電位差が発生する期間に前記入力信号を充放電するコンデンサの容量値が、その他の電位期間に前記入力信号を充放電するコンデンサの容量値より小さくなるように接続したことを特徴とするフィルタ回路。
【請求項２】
入力信号を、複数に分割されたフォトディテクタから得られる各信号の全加算により生成し、第１および第２の制御信号を、前記フォトディテクタからの各信号による差分の信号を加工して生成する手段を備えたことを特徴とする請求項１に記載のフィルタ回路。
【請求項３】
入力信号を、複数に分割されたフォトディテクタから得られる各信号の全加算により生成し、第１および第２の制御信号を、入力信号に重畳されたＡＣ成分を２値化して得た位置情報から生成する手段を備えたことを特徴とする請求項１に記載のフィルタ回路。
【請求項４】
第２の制御信号による入力信号に対する通過時定数の切り替え時に、２つのコンデンサ毎に、直流電位成分のレベル毎の期間を対応付けて時定数を切り替えるよう構成したことを特徴とする請求項２または請求項３に記載のフィルタ回路。
【請求項５】
周期的に直流電位成分のレベルが変化して発生する時間経過に伴う直流電位差を持ち、ＡＣ成分が重畳された信号を入力し、この入力信号に対して、その直流電位成分のレベルに対応して２つのコンデンサのいずれか一方のみが充放電するように、前記直流電位成分のレベル変化による直流電位の切り替わりに同期した第１の制御信号により、前記２つのコンデンサを切り替える手段と、前記入力信号を微分するハイパスフィルタと、前記ハイパスフィルタの出力を半波整流する半波整流回路と、前記半波整流回路の出力により生成した第２の制御信号によって、前記直流電位の切り替わり期間だけ、前記入力信号に対する通過時定数を小さくなるように切り替える手段を備えたことを特徴とするフィルタ回路。
【請求項６】
２つのコンデンサに発生する電圧を入力信号から減算する手段を備えたことを特徴とする請求項１または請求項５に記載のフィルタ回路。
【請求項７】
前記入力信号はＤＶＤ−ＲＡＭディスクから読み出された信号であり、前記ＤＶＤ−ＲＡＭが有するランドおよびグルーブに基づく前記入力信号の通常の直流電位成分レベルの違いを、前記通常の直流電位成分レベルであるデータ部の再生前に予め検出する第１の検出回路と、前記第１の検出回路で検出した信号および前記直流電位成分のレベル変化による直流電位の切り替わりに同期した第１の制御信号から、第３の制御信号を生成する手段と、前記第３の制御信号により、前記ランドおよびグルーブに応じて、２つのコンデンサを切り替えるとともに、周期的な電位差が発生する期間には前記第１の制御信号により更に別のコンデンサに切り替える手段とを備えたことを特徴とする請求項６に記載のフィルタ回路。
【請求項８】
周期的に直流電位成分のレベルが変化して発生する時間経過に伴う直流電位差を持ち、ＡＣ成分が重畳された信号を入力し、この入力信号に対して、その直流電位成分のレベルに対応して２つのコンデンサのいずれか一方のみが充放電するように、前記直流電位成分のレベル変化による直流電位の切り替わりに同期した第１の制御信号により、前記２つのコンデンサを切り替える第１の切替手段と、前記入力信号のデータ部に対応する再生トラックのトラッキング誤差を検出し、前記トラッキング誤差に応じて、前記入力信号に対する通過時定数を小さくなるように切り替える期間を変化させる第２の制御信号を出力する検出回路と、前記検出回路からの第２の制御信号により、前記入力信号に対する通過時定数を小さくなるように切り替える第２の切替手段とを備えたことを特徴とするフィルタ回路。
【請求項９】
前記第２の切替手段は、前記検出回路にて検出されたトラッキング誤差のトラッキング誤差量に応じて、前記入力信号に対する通過時定数を、コンダクタ値を変更することによって小さくするように切り替えることを特徴とする請求項８に記載のフィルタ回路。
【発明の詳細な説明】
【０００１】
【発明の属する技術分野】
本発明は、光記録媒体である光ディスクからの再生信号における直流成分の時間的変位による直流電位差をなくすためのフィルタ回路に関するものである。
【０００２】
【従来の技術】
従来から、光記録媒体として書き換えが可能な光ディスク、たとえばＤＶＤ−ＲＡＭ（ｄｉｇｉｔａｌ  Ｖｉｄｅｏ  ｄｉｓｃ  ｒａｎｄｏｍ  ａｃｃｅｓｓｍｅｍｏｒｙ）を再生するＤＶＤ−ＲＡＭ再生システムにおいては、そのＤＶＤ−ＲＡＭ再生の際に得られる再生信号に含まれる直流成分の時間的変位による直流電位差をなくすためのフィルタ回路が組み込まれている。
【０００３】
この理由については後述するが、その前に、まずＤＶＤ−ＲＡＭディスク信号の構成について説明する。
ＤＶＤ−ＲＡＭディスクの情報が記録される情報記録面は、図７（ａ）のように、セクタ単位に区切られたトラックにより構成されている。各セクタの先頭には、図７（ｂ）のように、そのセクタ情報が前もって記録されているヘッダ領域があり、ヘッダ領域の後にはデータ信号を書き込むための記録領域がある。ひとつのヘッダ領域には同一の情報が繰り返し記録されているため、多少の誤りがあってもヘッダ検出は可能で、記録領域での情報の検出よりも容易である。
【０００４】
このトラックに沿ってレーザー光を照射し、その反射光をフォトダイオードで検出することで再生信号を得ることができる。なお、フォトダイオードは、図８のように、４分割（Ａ、Ｂ、Ｃ、Ｄの４領域）された各受光部で再生信号を得て、矢印の方向をトラックの進行方向とすると、記録領域のデータ信号は、（Ａ＋Ｂ＋Ｃ＋Ｄ）の演算をして得られる全加算信号を用いるのが一般的であり、ヘッダ領域は、図７（ｃ）のように、半トラックずれて配置してあり、（Ａ＋Ｄ）−（Ｂ＋Ｃ）の演算をして得られるプッシュプル（差）信号を用いるのが一般的であるが、図９（ａ）のような全加算信号を用いても読み取ることは可能である。
【０００５】
このように再生信号は、ヘッダ領域と記録領域で、プッシュプル信号と全加算信号を切り替えて読む場合でも、全加算信号のみを用いる場合でも、ヘッダ部分で他の部分（ここでは、データ部分）に対して直流成分として電位差のある再生信号となる。
【０００６】
このまま後段の信号処理を行うと、直流電位差に対応するために後段の回路のダイナミックレンジを大きくする必要があり、ダイナミックレンジを確保するためにＳ／Ｎ等の他の性能が犠牲になってしまう。このためフィルタ回路で直流電位差を取り除き、図９（ｂ）のような直流成分として電位差の少ない信号を作って出力し、後段の回路の負担を軽減している。
【０００７】
ＤＶＤ−ＲＡＭの再生システムを図１０に示して以下に説明する。
図１０において、ピックアップ（ＰＵ）１０１は、ディスク１０２にレーザー光を当て、その反射光を検出してその検出信号を出力する。全加算回路１０３はピックアップ１０１からの出力Ａ，Ｂ，Ｃ，Ｄを全て加算してフィルタ回路１０６に出力する。また、ＰＰ信号生成回路１０４は、（Ａ＋Ｄ）−（Ｂ＋Ｃ）のプッシュプル信号を生成して制御回路１０５に出力する。制御回路１０５は、プッシュプル信号を元にヘッダ位置を検出し、そのヘッダ位置を示す制御信号をフィルタ回路１０６に出力する。
【０００８】
フィルタ回路１０６は、ヘッダ部分で生じる直流電位差を除去して、波形等化回路１０７に出力する。波形等化回路１０７は、フィルタ回路１０６の出力を波形等化してＲＦ信号を生成し、そのＲＦ信号をデータスライサ１０８に出力する。データスライサ１０８は、ＲＦ信号を入力信号に応じたある基準電位でスライスして２値化し、ＰＬＬ１０９に出力する。ＰＬＬ１０９は、２値化データの同期を取り、ビットクロックを抽出する。
【０００９】
図１１を用い従来のフィルタ回路１０６について説明する。
図１１において、制御回路１０５からの制御信号によりスイッチＳＷ１１１が動作し、スイッチＳＷ１１１がオフしているときには抵抗Ｒ１１２は開放状態になり、コンデンサＣ１１１と抵抗Ｒ１１１とでハイパスフィルタを構成し、スイッチＳＷ１１１がオンしているときは、Ｒ１１２がＲ１１１と並列に接続されて、コンデンサＣ１１１とＲ１１１およびＲ１１２とでハイパスフィルタを構成し、これらのハイパスフィルタによる２種類の時定数を切り替えている。
【００１０】
図１２はフィルタ回路１０６にヘッダ信号を含むＤＶＤ−ＲＡＭからの再生信号が入力されたときの図１０における各部の信号波形を示したものである。制御回路１０５が出力する制御信号は図１２（ｂ）のようなパルス信号であり、この制御信号は、図１２（ａ）に示すような大きな直流電位変動の瞬間から一定時間スイッチＳＷ１１１をオンにする信号である。
【００１１】
フィルタ回路１０６では、前述したとおり、制御信号で時定数を切り替え、オフのときは時定数を大きく、オンのときは時定数を小さくする。大きな直流電位変動があったときに高速に直流引き込みを行い、十分に引き込んだ後で時定数を小さくして、入力信号に重畳されたＡＣ成分、またはノイズ成分に追従しないようにしている。このようにしてフィルタ回路１０６の時定数を切り替えれば、再生信号のヘッダ部分での大きな直流電位変動を吸収することができる。
【００１２】
ヘッダ部分での高速引き込み時には、データスライサ１０８、ＰＬＬ１０９の動作をホールドしてスライスレベル変動、周波数ズレを小さくすることは可能であるが、低速引き込みに切り替えてデータを読むときには、データスライサ１０８の基準電位追従を動作させ、さらにＰＬＬ１０９をロック状態にして、最適点で読み込みを行う必要がある。これに加えて、特に近年では、高倍速再生の要望もあり、高速引き込みを行う前後の直流電位差を小さくすると共に、直流引き込み時間を短くする必要がでてきた。
【００１３】
従来のフィルタ回路１０６で直流引き込みを早くするには、高速引き込み時の時定数を小さくすれば良いが、高速引き込み時の時定数を小さくすると、入力信号に重畳しているＡＣ成分によってコンデンサに出入りする電荷が大きくなり、低速引き込みに切り替わったときに、コンデンサに溜まっている電荷で直流オフセットが生じてしまい、結局直流電位差が出てしまう。
【００１４】
このように直流電位差出ると、直流電位差が出た部分の信号の歪みが大きくなってしまい、最悪の条件ではデータが読み取れない場合もある。また、データスライサ１０８でＲＦ信号を２値化するときにジッタが大きくなってしまう。このように直流電位差は、高速引き込みと低速引き込みの時定数比が大きすぎるために生じている。
【００１５】
データを読み出す低速引き込み時の時定数を小さくすると、ノイズ成分に応答してしまい、データスライサ１０８で２値化するときにノイズの影響でジッタが増加してしまうが、ヘッダ部分に関してのみ低速引き込みの時定数を数分の一程度小さくしても構造上読み込みが可能である。したがって、少なくともヘッダ部分以外の低速引き込み時、つまりデータ再生時は、時定数を大きくする必要がある。
【００１６】
【発明が解決しようとする課題】
以上のように従来のフィルタ回路では、直流引き込みを早くするために引き込み時定数を小さくすると、高速引き込みから低速引き込みに切り替えたときに、出力信号に直流電位差を生じてしまう。
【００１７】
これを防ぐには、低速引き込みの時定数を小さくして、高速引き込みとの時定数比を小さくする必要がある。しかしながら、低速引き込みの時定数を小さくし過ぎると、低速引き込み時にフィルタ回路１０６が信号のノイズ成分に応答してしまい、データスライサ１０８で２値化するときにノイズの影響でジッタが増加してしまうため、低速引き込みの時定数を小さくするのは難しいという問題点を有していた。
【００１８】
本発明は、上記従来の問題点を解決するもので、光ディスクからの再生信号における直流電位差がほとんど生じることなく、直流引き込み時間を短縮することができ、かつ再生信号からデータを確実に読み取ることができるフィルタ回路を提供する。
【００１９】
【課題を解決するための手段】
上記の課題を解決するために本発明のフィルタ回路は、周期的に直流電位成分のレベルが変化して発生する時間経過に伴う直流電位差を持ち、ＡＣ成分が重畳された信号を入力し、この入力信号に対して、その直流電位成分のレベルに対応して２つのコンデンサのいずれか一方のみが充放電するように、前記直流電位成分のレベル変化による直流電位の切り替わりに同期した第１の制御信号により、前記２つのコンデンサを切り替える手段と、前記入力信号の直流電位の切り替わりに同期した第２の制御信号によって、前記入力信号に対する通過時定数を小さくなるように切り替える手段とを備え、前記２つのコンデンサを、前記入力信号における直流電位成分のレベルとして、周期的な電位差が発生する期間に前記入力信号を充放電するコンデンサの容量値が、その他の電位期間に前記入力信号を充放電するコンデンサの容量値より小さくなるように接続した構成としたことを特徴とする。
【００２０】
以上により、周期的電位の切り替わりに同期して、入力信号での直流電位差が大きく異なるヘッダ部とデータ部をそれぞれ異なるコンデンサに電荷が充放電するように切り替えることで、各々のコンデンサの電位変化が小さくなるので、直流電位が切り替わるときの時定数を小さくすることができる。
【００２１】
【発明の実施の形態】
本発明の請求項１に記載のフィルタ回路は、周期的に直流電位成分のレベルが変化して発生する時間経過に伴う直流電位差を持ち、ＡＣ成分が重畳された信号を入力し、この入力信号に対して、その直流電位成分のレベルに対応して２つのコンデンサのいずれか一方のみが充放電するように、前記直流電位成分のレベル変化による直流電位の切り替わりに同期した第１の制御信号により、前記２つのコンデンサを切り替える手段と、前記入力信号の直流電位の切り替わりに同期した第２の制御信号によって、前記入力信号に対する通過時定数を小さくなるように切り替える手段とを備え、前記２つのコンデンサを、前記入力信号における直流電位成分のレベルとして、周期的な電位差が発生する期間に前記入力信号を充放電するコンデンサの容量値が、その他の電位期間に前記入力信号を充放電するコンデンサの容量値より小さくなるように接続した構成とする。
【００２４】
請求項２に記載のフィルタ回路は、請求項１に記載の入力信号を、複数に分割されたフォトディテクタから得られる各信号の全加算により生成し、第１および第２の制御信号を、前記フォトディテクタからの各信号による差分の信号を加工して生成する手段を備えた構成とする。
【００２５】
請求項３に記載のフィルタ回路は、請求項１に記載の入力信号を、複数に分割されたフォトディテクタから得られる各信号の全加算により生成し、第１および第２の制御信号を、入力信号に重畳されたＡＣ成分を２値化して得た位置情報から生成する手段を備えた構成とする。
【００２６】
請求項４に記載のフィルタ回路は、請求項２または請求項３に記載の第２の制御信号による入力信号に対する通過時定数の切り替え時に、２つのコンデンサ毎に、直流電位成分のレベル毎の期間を対応付けて時定数を切り替えるよう構成する。
【００２７】
これらの構成によると、周期的電位の切り替わりに同期して、入力信号での直流電位差が大きく異なるヘッダ部とデータ部をそれぞれ異なるコンデンサに電荷が充放電するように切り替えるとともに、周期的電位の切り替わりに同期して、その切り替わり期間の一部の期間のみ時定数を小さくし、その後時定数を大きくするように切り替えることにより、直流電位が切り替わるときの時定数の変化を少なくする。
【００２８】
請求項５に記載のフィルタ回路は、周期的に直流電位成分のレベルが変化して発生する時間経過に伴う直流電位差を持ち、ＡＣ成分が重畳された信号を入力し、この入力信号に対して、その直流電位成分のレベルに対応して２つのコンデンサのいずれか一方のみが充放電するように、前記直流電位成分のレベル変化による直流電位の切り替わりに同期した第１の制御信号により、前記２つのコンデンサを切り替える手段と、前記入力信号を微分するハイパスフィルタと、前記ハイパスフィルタの出力を半波整流する半波整流回路と、前記半波整流回路の出力により生成した第２の制御信号によって、前記直流電位の切り替わり期間だけ、前記入力信号に対する通過時定数を小さくなるように切り替える手段を備えた構成とする。
【００２９】
請求項６に記載のフィルタ回路は、請求項１または請求項５に記載の２つのコンデンサに発生する電圧を入力信号から減算する手段を備えた構成とする。
請求項７に記載のフィルタ回路は、請求項６に記載の入力信号がＤＶＤ−ＲＡＭディスクから読み出された信号であり、前記ＤＶＤ−ＲＡＭが有するランドおよびグルーブに基づく前記入力信号の通常の直流電位成分レベルの違いを、前記通常の直流電位成分レベルであるデータ部の再生前に予め検出する第１の検出回路と、前記第１の検出回路で検出した信号および前記直流電位成分のレベル変化による直流電位の切り替わりに同期した第１の制御信号から、第３の制御信号を生成する手段と、前記第３の制御信号により、前記ランドおよびグルーブに応じて、２つのコンデンサを切り替えるとともに、周期的な電位差が発生する期間には前記第１の制御信号により更に別のコンデンサに切り替える手段とを備えた構成とする。
【００３０】
これらの構成によると、周期的電位の切り替わりに同期して、入力信号での直流電位差が大きく異なるヘッダ部とデータ部をそれぞれ異なるコンデンサに電荷が充放電するように切り替えるとともに、入力信号を微分するハイパスフィルタの出力を半波整流するハイパスフィルタの出力で時定数を切り替えることにより、直流電位が切り替わるときの時定数の変化を少なくする。
【００３１】
請求項８に記載のフィルタ回路は、周期的に直流電位成分のレベルが変化して発生する時間経過に伴う直流電位差を持ち、ＡＣ成分が重畳された信号を入力し、この入力信号に対して、その直流電位成分のレベルに対応して２つのコンデンサのいずれか一方のみが充放電するように、前記直流電位成分のレベル変化による直流電位の切り替わりに同期した第１の制御信号により、前記２つのコンデンサを切り替える第１の切替手段と、前記入力信号のデータ部に対応する再生トラックのトラッキング誤差を検出し、前記トラッキング誤差に応じて、前記入力信号に対する通過時定数を小さくなるように切り替える期間を変化させる第２の制御信号を出力する検出回路と、前記検出回路からの第２の制御信号により、前記入力信号に対する通過時定数を小さくなるように切り替える第２の切替手段とを備えた構成とする。
【００３２】
請求項９に記載のフィルタ回路は、請求項８に記載の第２の切替手段が、前記検出回路にて検出されたトラッキング誤差のトラッキング誤差量に応じて、前記入力信号に対する通過時定数を、コンダクタ値を変更することによって小さくするように切り替える構成とする。
【００３３】
これらの構成によると、周期的電位の切り替わりに同期して、入力信号での直流電位差が大きく異なるヘッダ部とデータ部をそれぞれ異なるコンデンサに電荷が充放電するように切り替えるとともに、再生トラックのトラッキングズレを検出する手段からの出力により時定数を切り替えることにより、直流電位が切り替わるときの時定数の変化を少なくする。
【００３４】
以下、本発明の一実施の形態を示すフィルタ回路について、図面を参照しながら具体的に説明する。
（実施の形態１）
本発明の実施の形態１のフィルタ回路を説明する。
【００３５】
図１は本実施の形態１のフィルタ回路の構成を示すブロック図であり、図２は図１のフィルタ回路における各部分の信号波形の模式図である。図１において、１は入力信号の直流電位成分を除去することにより入力信号に周期的に現れる直流電位成分に対応して発生する直流電位差をキャンセルするハイパスフィルタ、Ｖｉは周期的に直流電位の差を持ちこれにＡＣ成分が重畳された信号である全加算信号が入力される入力端子、ＳＷ１は１次側端子に入力端子Ｖｉが接続され１次側端子と複数の２次側端子との接続をいずれかに切り替えるスイッチ、Ｃ１、Ｃ２はスイッチＳＷ１のそれぞれ異なる２次側端子に一端を接続しもう一端同士を短絡したコンデンサ、１１はコンデンサＣ１、Ｃ２の短絡された一端を入力とし出力を出力端子Ｖｏに接続するバッファアンプ、１２は基準電圧入力端子、１３は基準電圧入力端子１２を正転入力、バッファアンプ１１の出力を反転入力、出力をコンデンサＣ１、Ｃ２の短絡された一端に接続したトランスコンダクタアンプ、２は入力信号から得られた差信号であるプシュプル信号を入力として、そのプシュプル信号において直流電位差が発生している部分を検出し、スイッチＳＷ１を切り替えるためのコンデンサ制御信号を出力する第１の制御回路、３はプシュプル信号を入力として直流電位の変化点から予め設定したある時間長さだけパルスを発生し、トランスコンダクタアンプ１３のトランスコンダクタ値を切り替えるための時定数制御信号を出力する第２の制御回路である。
【００３６】
以上のように構成されたフィルタ回路について、その動作を以下に説明する。図２（ａ）に示すように、ハイパスフィルタ１の入力となる全加算信号は、光ディスクからの再生信号のヘッダ部により周期的に現れる直流電位成分に対応して発生する直流電位差を持ち、これに情報を示すＡＣ成分が重畳されている。
【００３７】
このハイパスフィルタ１を構成するコンデンサＣ１、Ｃ２を切り替えるコンデンサ制御信号は、図２（ｃ）に示すように、大きな直流電位変動がある期間Ｈｉになる信号である。コンデンサ制御信号がＬｏｗのとき通常の直流電位とし、このときコンデンサＣ１にトランスコンダクタアンプ１３の出力電流が流れ、Ｈｉのとき変化した直流電位とし、このときコンデンサＣ２にトランスコンダクタアンプ１３の出力電流が流れる。
【００３８】
コンデンサＣ１、Ｃ２はそれぞれ大きく異なる直流電位の時は入力端子がオープンになっているため電荷変動がない。このように制御することで各コンデンサＣ１、Ｃ２には大きな電位変化が起きないため、出力端子Ｖｏに出力される信号には直流電位変化が少なくなる。
【００３９】
また、時定数制御信号は、図２（ｄ）に示すように、大きな直流電位変動の瞬間から一定時間だけ、トランスコンダクタアンプ１３のトランスコンダクタ値を大きし、通常信号期間にはトランスコンダクタ値を小さくする信号である。したがって、コンデンサの切り替わり毎に直流電位が変動しても、その直流電位に対する引き込み時間を早くすることができる。
【００４０】
この時も各コンデンサＣ１、Ｃ２に起こる電位変化が、コンデンサを切り替えない時と比較して遥かに小さいため、引き込みの時定数を極端に小さくしなくてもよい。このため、高速引き込みから低速引き込みに切り替えたときの直流電位差を小さくすることができる。
【００４１】
また、記録部分に比べてヘッダ部と次のヘッダ部までの間隔が長いためトラッキング状態により電圧値が変化しやすい。このためヘッダ部分の時定数を決めるコンデンサＣ２の容量を、記録部分の時定数を決めるコンデンサＣ１の容量より小さくすることで引き込みを早くする。この場合、ヘッダ部分の低速引き込み時定数がその分大きくなるが、記録部分に比較してデータ検出が容易であるので問題は発生しない。このことにより、不安定なトラッキング状態でも入力信号に発生している直流電位差を小さくすることができる。
【００４２】
また、ＤＶＤ−ＲＡＭの規格ではヘッダ領域と記録領域の先頭にはＰＬＬをロックさせるために実際に読み込む必要のない領域が存在する。記録領域には更にこの前に同等の長さに近いダミー領域が存在する。したがって、高速引き込み時間を記録領域では長くし引き込み時定数を大きくすることで、同等の引き込みを確保しながら直流電位差を更に小さくすることができる。
【００４３】
なお、図２（ｃ）、（ｄ）に示したコンデンサ制御信号および時定数制御信号は、ともに図２（ｂ）に示したプシュプル信号の変化から検出することが可能である。
【００４４】
また、ここでは２つのコンデンサＣ１、Ｃ２を切り替え、更にトランスコンダクタアンプ１３で時定数を切り替える構成で説明したが、２つのコンデンサＣ１、Ｃ２を切り替え、更に抵抗を切り替える場合も同様の効果が得られる。
（実施の形態２）
本発明の実施の形態２のフィルタ回路を説明する。
【００４５】
図３は本実施の形態２のフィルタ回路の構成を示すブロック図であり、図４は図３のフィルタ回路における各部分の信号波形の模式図である。実施の形態２は、実施の形態１で得られる効果を更に改善したものである。図３において、３１は入力端子Ｖｉからの信号を入力とし、この入力信号を微分するハイパスフィルタ（ＨＰＦ）、３２はハイパスフィルタ３１の出力を半波整流し、トランスコンダクタアンプ１３のトランスコンダクタ値を制御する第３の制御回路である。
【００４６】
以上のように構成されたフィルタ回路について、その動作を以下に説明する。
図４（ａ）、（ｂ）に示すように、入力端子Ｖｉに入力された信号は、ヘッダ部と記録部とで大きな直流電位差を持っているが、ヘッダ部分はトラッキング状態、あるいは光ディスクと光ピックアップとの傾きにより、図４（ｂ）に示すように、前半部分と後半部分とで直流電位が異なる。理想的に再生されている場合には、図４（ａ）に示すように、直流的に同一電位となる。
【００４７】
この信号をハイパスフィルタ３１に入力すると、図４（ｃ）に示すように、ヘッダ部に切り替わった時と記録部に切り替わった時に微分波形が出力される。ヘッダ期間に関しては、図４（ｄ）に示すように、直流電位がずれた場合のみ微分波形が出力される。この出力は、第３の制御回路３２で半波整流すると直流電位の変化量に応じた信号となり、これをトランスコンダクタアンプ１３のトランスコンダクタ値を制御する時定数制御信号とすることにより、直流電位の変化量の大きいときのみ時定数を小さくすることができる。
【００４８】
これにより高速引き込みから低速引き込みへの変化が非線形な切り替わりでなく線形に徐々に切り替わるため、実施の形態１の効果に対して、更に直流電位差の発生がなく高速な直流電位引き込みを実現することができる。
（実施の形態３）
本発明の実施の形態３のフィルタ回路を説明する。
【００４９】
図５は本実施の形態３のフィルタ回路の構成を示すブロック図である。実施の形態３は、実施の形態１、２を扱い易くしたものである。図５において、５１はトランスコンダクタアンプ、５２はトランスコンダクタアンプ５１の出力を入力とするバッファアンプ、Ｃ３、Ｃ４は一端が接地されたコンデンサ、ＳＷ２はトランスコンダクタアンプ５１の出力とバッファアンプ５２の入力を１次側の入力とし、２次側を２端子持ちコンデンサＣ３、Ｃ４にそれぞれの端子を接続し、いずれかの端子と接続するよう切り替えるスイッチ、５３は入力端子Ｖｉからの信号を正転入力とし、バッファアンプ５２からの出力信号を反転入力とする差動アンプである。
【００５０】
トランスコンダクタアンプ５１は、入力端子Ｖｉからの信号を正転入力とし、バッファ５２からの出力信号を反転入力とし、第２の制御回路３からの出力である時定数制御信号により時定数を可変するように構成される。また、スイッチＳＷ２は、第１の制御回路２からの出力であるコンデンサ制御信号により、２次側のコンデンサを切り替えるように構成される。
【００５１】
以上のように構成されたフィルタ回路について、その動作を以下に説明する。
入力端子Ｖｉから、ある直流電位にＡＣ成分が重畳された信号が入力されると、トランスコンダクタアンプ５１は、差動入力端子間に発生する電圧差に応じた電流を出力する。この時コンデンサＣ３とトランスコンダクタアンプ５１の出力が接続するようスイッチＳＷ２が切り替わっているとすると、トランスコンダクタアンプ５１の出力電流とコンデンサＣ３の容量値で時定数が決定される。
【００５２】
したがって、この部分がローパスフィルタとして作用するため、この電圧を差動アンプ５３の反転入力端子（−）に入力し、入力端子Ｖｉの電圧を差動アンプ５３の正転入力端子（＋）に入力すると、差動アンプ５３の出力はハイパスフィルタの出力と同等になる。
【００５３】
以上により、トランスコンダクタアンプ５１を実施の形態１で説明した時定数制御信号で、またスイッチＳＷ２をコンデンサ制御信号で、それぞれ制御することにより、同様の効果が得られる。
【００５４】
なお、トランスコンダクタアンプ５１の正転入力端子、差動アンプ５３の正転入力端子はそれぞれ入力インピーダンスが高いため、入力端子に加えるドライブ能力が入力コンデンサの大きさなどの負荷にほとんど影響せず、実施の形態１、２に比べて容易に使用でき同様の効果が得られる。
（実施の形態４）
本発明の実施の形態４のフィルタ回路を説明する。
【００５５】
図５のフィルタ回路においてコンデンサを３つにして切り替えるように構成して、本発明の実施の形態４とする。本実施の形態４は、実施の形態１、２で得られる効果を更に改善したものである。図５において、スイッチＳＷ２の２次側を３端子としてコンデンサを３つ切り替える構成とする。
【００５６】
ＤＶＤ−ＲＡＭの信号は、ディスク上にランドおよびグルーブと呼ばれる構造の異なる凹凸状のトラックの両方にデータを記録している。このことによりランド再生とグルーブ再生では直流電位レベルが若干異なる。次に再生されるセクタがランド部かグルーブ部かという判断は、図７（ｂ）に示すように、セクタの種類に対応してヘッダ部の配置が異なるので、この違いを有するプシュプル信号から検出できる。この信号を入力として、３つのコンデンサをそれぞれ記録部のランド、記録部のグルーブ、ヘッダ部に対応するようにスイッチの切り替えを制御する。
【００５７】
以上により、実施の形態１、２に比べ、ランド、グルーブ切り替えの際の入力信号に現れる直流電位変動が抑制されるため、出力する直流電位差を更に小さくすることができる。
（実施の形態５）
本発明の実施の形態５のフィルタ回路を説明する。
【００５８】
図６は本実施の形態５のフィルタ回路の構成を示すブロック図である。実施の形態５は、再生状態が不安定な場合、実施の形態１、２で得られる効果を更に改善した効果が得られる。図６において、６１は差信号であるプシュプル（ＰＰ）信号を入力としトラッキング誤差（ＴＥ）を検出するＴＥ検出回路、６２はＴＥ検出回路６１からの出力信号とプシュプル信号とを入力として、直流電位の変化点からある期間トランスコンダクタアンプ１３のトランスコンダクタ値を変える時定数制御信号を出力する第４の制御回路である。
【００５９】
以上のように構成されたフィルタ回路について、その動作を以下に説明する。
トラッキング誤差（ＴＥ）検出回路６１は、４分割されたフォトディテクタのＡＣ成分の位相を比較することにより、トラッキング誤差量を検出する。トラッキング誤差が発生していないときは、図４（ａ）に示すように、ヘッダ領域を挟んだ記録領域同士が略同一の直流電位になるため、高速引き込みの時間を長く取る必要はないが、トラッキングが不安定なとき、つまりこの誤差量が大きいときには直流電位も変化する場合がある。
【００６０】
このため、このトラッキング誤差量が大きくなるとき、第４の制御回路は時定数制御信号の高速引き込み期間を長くするようにする。このようにすることにより、十分な引き込みが可能になる。
【００６１】
また、このトラッキング誤差量が大きくなるとき、第４の制御回路は時定数制御信号の高速引き込みのコンダクタ値が大きくなるように時定数を変更する。このようにすることにより、高速な引き込みが可能になる。
【００６２】
以上のように制御することで、トラッキングが安定な時の特性を劣化させることなく、不安定なトラッキング状態でも十分な引き込みを確保することが可能になる。
【００６３】
【発明の効果】
以上のように本発明によれば、入力信号の直流電位差が発生する部分で入力信号を複数のコンデンサに分けて入力するとともに、入力信号の直流電位差に同期した制御信号で直流引き込みの時定数を切り替えることにより、出力信号における直流電位差の発生を抑え、直流電位が切り替わるときの時定数の変化を少なくすることができる。
【００６４】
そのため、光ディスクからの再生信号における直流電位差がほとんど生じることなく、直流引き込み時間を短縮することができ、かつ再生信号からデータを確実に読み取ることができる。
【図面の簡単な説明】
【図１】本発明の実施の形態１のフィルタ回路の構成を示すブロック図
【図２】同実施の形態１のフィルタ回路における動作を示す波形図
【図３】本発明の実施の形態２のフィルタ回路の構成を示すブロック図
【図４】同実施の形態２のフィルタ回路における動作を示す波形図
【図５】本発明の実施の形態３のフィルタ回路の構成を示すブロック図
【図６】本発明の実施の形態５のフィルタ回路の構成を示すブロック図
【図７】一般的なＤＶＤ−ＲＡＭディスクの記録面の構造を示す模式図
【図８】ＤＶＤ−ＲＡＭディスクシステム用のピックアップの構成を示す模式図
【図９】従来のフィルタ回路における再生信号を説明する波形図
【図１０】従来のフィルタ回路を内蔵したＤＶＤ−ＲＡＭディスク再生システムの構成を示すブロック図
【図１１】従来のフィルタ回路の構成を示す回路図
【図１２】同従来例のフィルタ回路の再生動作を示す波形図
【符号の説明】
１    ハイパスフィルタ
２、３、３２、６２、１０５    制御回路
１１、５２    バッファアンプ
１２    基準電圧端子
１３、５１    トランスコンダクタアンプ
５３    差動アンプ
６１    ＴＥ誤差検出回路
１０１    ピックアップ
１０２    ディスク
１０３    全加算回路
１０４    ＰＰ信号生成回路
１０６    フィルタ回路
１０７    波形等化回路
１０８    データスライサ
１０９    ＰＬＬ
Ｖｉ    入力端子
Ｖｏ    出力端子
Ｃ１〜Ｃ４、Ｃ１１１    コンデンサ
ＳＷ１、ＳＷ２、ＳＷ１１１    スイッチ
Ｒ１１１、Ｒ１１２    抵抗
【図１】
0003759005.tif 000002
【図２】
0003759005.tif 000003
【図３】
0003759005.tif 000004
【図４】
0003759005.tif 000005
【図５】
0003759005.tif 000006
【図６】
0003759005.tif 000007
【図７】
0003759005.tif 000008
【図８】
0003759005.tif 000009
【図９】
0003759005.tif 000010
【図１０】
0003759005.tif 000011
【図１１】
0003759005.tif 000012
【図１２】
0003759005.tif 000013